(57)【要約】【課題】  共聴システムよりも監視映像の配信のユーザへの利便性を高めることにある。【解決手段】    各監視対象の映像を複数のＭＰＥＧ２ＴＳ変換装置３，…で地上波デジタル放送対応の映像ストリームに変換し、各ユーザ端末７，…に送信し表示する監視映像配信システムであって、映像ストリームに多重化する監視カメラ１１の監視に必要な付随情報や制御プログラム等のコンテンツ情報を出力し、ユーザ端末７，…に映像と付随情報を表示可能とするコンテンツ生成部２１と、ユーザ端末７からユーザ操作に基づく制御プログラムの実行結果であるカメラ映像切替え操作情報を受信し、このカメラ映像切替え操作情報に応じてカメラ映像切替え制御指令を出力するシステム管理部２２と、このカメラ映像切替え制御指令を受け、該当ＭＰＥＧ２ＴＳ変換装置３に映像切替えコマンドを送出する映像変換装置制御部２６とを設けたコンテンツ情報配信用サーバである。【選択図】図２
2008227940.tif 000002
【特許請求の範囲】
【請求項１】
監視対象の映像を撮影する複数の監視映像撮影装置と、各監視映像撮影装置から通信ネットワークを通して伝送されてくる映像を地上波デジタル放送対応の映像ストリームに変換するチャンネル毎の映像変換装置とを備え、これら映像変換装置で変換された映像ストリームをユーザ端末に送信し表示する監視映像配信システムにおいて、
前記映像ストリームに対して多重化するための前記監視カメラの監視に必要な付随情報や制御プログラム等のコンテンツ情報を生成し出力し、前記ユーザ端末に前記映像ストリームとともに前記付随情報を表示可能とするコンテンツ生成出力手段と、
前記ユーザ端末からユーザ操作に基づく制御プログラムの実行結果であるカメラ映像切替え操作情報を受信し、このカメラ映像切替え操作情報に応じてカメラ映像切替え制御指令を出力するシステム管理手段と、
このシステム管理手段からカメラ映像切替え制御指令を受け、該当する前記映像変換装置に映像切替えコマンドを送出する映像変換装置制御手段と
を備えたことを特徴とするコンテンツ情報配信用サーバ。
【請求項２】
前記システム管理手段は、前記ユーザ端末からカメラ映像切替え操作情報とともに、現在受信中のチャンネル情報を受け取り、ユーザ操作を行った前記ユーザ端末が何れのチャンネルを受信しているかを特定することを特徴とする請求項１に記載のコンテンツ情報配信用サーバ。
【請求項３】
前記システム管理手段は、複数のユーザ端末の受信中チャンネル情報に基づき、カメラ映像を切替えるための制御の権限を調停する処理を実行することを特徴とする請求項１に記載のコンテンツ情報配信用サーバ。
【請求項４】
前記システム管理手段は、複数のユーザ端末の受信中チャンネル情報に基づき、現在の空きチャンネル情報を各ユーザ端末に提供することを特徴とする請求項１に記載のコンテンツ情報配信用サーバ。
【請求項５】
監視対象の映像を撮影する複数の監視映像撮影装置と、
各監視映像撮影装置から通信ネットワークを通して伝送されてくる映像を地上波デジタル放送対応のストリームに変換するチャンネル毎の映像変換装置と、
前記請求項１ないし請求項４の何れか一項に記載する構成を有するコンテンツ情報配信用サーバと、
前記各映像変換装置から出力される地上波デジタル放送対応の映像ストリームと前記コンテンツ情報配信用サーバから出力されるコンテンツ情報とを合成し、多重化ストリームを出力する多重化手段と、
この多重化手段から出力された多重化ストリームを放送周波数に変換する放送周波数変換手段と、
この放送周波数変換手段で変換された多重化ストリームを受信し、前記映像とともにコンテンツ情報を表示する複数のユーザ端末と
を備えたことを特徴とする監視映像配信システム。
【発明の詳細な説明】
【技術分野】
【０００１】
本発明は、アナログテレビ放送の仕組みを利用した共聴システムよりも利便性の高いコンテンツ情報配信用サーバ及び監視映像配信システムに関する。
【背景技術】
【０００２】
一般的な映像監視システムとしては、例えばプラントの各所に監視カメラを設置し、これら監視カメラで撮影された映像を専用の監視室へ送信し、監視員が監視室内のモニタ装置を見ながら、プラント各所の機器の稼動状況を監視することが行われている。
【０００３】
また、従来、前述した映像監視システム以外に、例えば局舎内に監視カメラを設置し、監視カメラで撮影された局舎内の映像と一般的なテレビ用放送周波数とを多重化し、アンテナの役割を持つ同軸ケーブルで多重伝送することにより、局舎内放送として、各ユーザのテレビ受像機に配信し、局舎内の状況を映し出すといった，いわゆる共聴システムが構築されている。
【０００４】
この共聴システムは、テレビ放送の仕組みを流用し、局舎内の必要に情報を配信するものであって、各ユーザ側にテレビ受像機（以下、ユーザ端末と呼ぶ）が設置されていれば、専任の監視員以外の人でも容易に映像を見ることができ、簡易な監視システムを構築できる。
【０００５】
しかし、以上のような共聴システムは、テレビ放送の仕組みを利用して配信することから、配信装置側からユーザ端末への片方向しか伝送できず、また、ユーザ端末としては幾つかのチャンネルに割り当てられた映像の中から所望の映像を選択できる機能しか持っていない。
【０００６】
ところで、近年、地上波テレビ放送がデジタル化され、これに伴って地上デジタル放送に対応したユーザ端末（テレビ受像機）が広く普及してきている（特許文献１）。
【０００７】
地上波デジタル放送は、データ放送及びＩＰ（Iｎｔｅｒｎｅｔ  Ｐｒｏｔｏｃｏｌ）に対応していることから、ＢＭＬ（Ｂｒｏａｄｃａｓｔ  Ｍａｒｋｕｐ  Ｌａｎｇｕａｇｅ）の記述によるコンテンツ情報を配布でき、また、配信装置側からユーザ端末に簡易なプログラムを配布し、ユーザ端末側で当該プログラムを実行可能になっている。
【０００８】
従って、配信装置とユーザ端末がIP通信可能に接続されていれば、簡易なプログラムを実行し、ユーザ端末が自身の操作情報を配信装置側へ伝送可能となっている。
【特許文献１】特開２００１−１６８８３０号
【発明の開示】
【発明が解決しようとする課題】
【０００９】
しかしながら、従来の映像監視システムでは、前述したように地上波テレビ放送がデジタル化されたとしても、基本的には放送の仕組みを利用しているので、通常の放送周波数に監視カメラの映像情報を多重伝送するだけであり、どのユーザ端末が何れのチャンネルを視聴しているかを特定できない。
【００１０】
本発明は上記事情に鑑みてなされたもので、共聴システムの機能に地上デジタル放送の仕組みやデジタル放送対応のユーザ端末の機能を取り込み、ユーザ端末側から送信されてくる操作情報を判断し、ユーザへの利便性、高機能化を実現するコンテンツ情報配信用サーバ及び監視映像配信システムを提供することを目的とする。
【課題を解決するための手段】
【００１１】
（１）  上記課題を解決するために、本発明は、監視対象の映像を撮影する複数の監視映像撮影装置と、各監視映像撮影装置から通信ネットワークを通して伝送されてくる映像を地上波デジタル放送対応の映像ストリームに変換するチャンネル毎の映像変換装置とを備え、これら映像変換装置で変換された映像ストリームをユーザ端末に送信し表示する監視映像配信システムにおいて、
前記映像ストリームに対して多重化するための前記監視カメラの監視に必要な付随情報や制御プログラム等のコンテンツ情報を生成し出力し、前記ユーザ端末に前記映像ストリームとともに前記付随情報を表示可能とするコンテンツ生成出力手段と、前記ユーザ端末からユーザ操作に基づく制御プログラムの実行結果であるカメラ映像切替え操作情報を受信し、このカメラ映像切替え操作情報に応じてカメラ映像切替え制御指令を出力するシステム管理手段と、このシステム管理手段からカメラ映像切替え制御指令を受け、前記映像変換装置に映像切替えコマンドを送出する変換装置制御手段とを備えたコンテンツ情報配信用サーバである。
【００１２】
なお、前記システム管理手段としては、前記ユーザ端末からカメラ映像切替え操作情報とともに、現在受信中のチャンネル情報を受け取り、ユーザ操作を行った前記ユーザ端末が何れのチャンネルを受信しているかを特定する機能を有する。
【００１３】
また、前記システム管理手段としては、複数のユーザ端末の受信中チャンネル情報に基づいて、カメラ映像を切替えるための制御の権限を調停する処理を実行するものである。
【００１４】
さらに、前記システム管理手段としては、複数のユーザ端末の受信中チャンネル情報に基づき、現在の空きチャンネル情報を各ユーザ端末に提供する機能を有する。
【００１５】
（２）  また、本発明に係る監視映像配信システムは、監視対象の映像を撮影する複数の監視映像撮影装置と、各監視映像撮影装置から通信ネットワークを通して伝送されてくる映像を地上波デジタル放送対応のストリームに変換するチャンネル毎の映像変換装置と、前記（１）項に記載される構成を有するコンテンツ情報配信用サーバと、前記各映像変換装置から出力される地上波デジタル放送対応の映像ストリームと前記コンテンツ情報配信用サーバから出力されるコンテンツ情報とを合成し、多重化ストリームを出力する多重化手段と、この多重化手段から出力された多重化ストリームを放送周波数に変換する放送周波数変換手段と、この放送周波数変換手段で変換された多重化ストリームを受信し、前記映像とともにコンテンツ情報を表示する複数のユーザ端末とを備えた構成である。
【発明の効果】
【００１６】
本発明によれば、共聴システム機能に地上デジタル放送の仕組みやデジタル放送対応のユーザ端末の機能を取り込むことにより、ユーザ端末側から送信されてくる操作情報を容易に判断でき、ユーザへの利便性、高機能化を実現できるコンテンツ情報配信用サーバ及び監視映像配信システムを提供できる。
【発明を実施するための最良の形態】
【００１７】
以下、本発明の実施の形態について図面を参照して説明する。  
図１は本発明に係る監視映像配信システムの一実施の形態を示す構成図である。
【００１８】
監視映像配信システムは、監視対象の映像を撮影する複数の監視映像撮影装置１ａ，１ｂ，…と、ＬＡＮ，イントラネット等の通信ネットワーク２と、この通信ネットワーク２に接続される複数のＭＰＥＧ２ＴＳ変換装置３，…と、コンテンツ情報配信用サーバ４と、多重化装置５と、放送周波数変換装置６と、地上デジタル放送対応のテレビ受像機であるユーザ端末７とにより構成される。８はユーザ端末７を遠隔操作する遠隔操作器（以下、リモコンと呼ぶ）である。
【００１９】
監視映像撮影装置１ａ，１ｂ，…（以下、監視映像撮影装置１と総称する）は、監視対象ごとに設置される。各監視映像撮影装置１は、監視対象の映像を撮影する監視カメラ１１ａ，１１ｂ，…（以下、監視カメラ１１と総称する）とエンコーダ１２ａ，１２ｂ,…（以下、エンコーダ１２と総称する）とからなる。
【００２０】
監視カメラ１１としては、アナログ式，デジタル式の何れのものでもよいが、既存の監視カメラシステムで設置される監視カメラ１１の中にはアナログ式のものが多く用いられていることを考慮し、各監視カメラ１１の出力側にそれぞれエンコーダ１２を接続し、監視カメラ１１で撮影されたアナログ映像を符号変換して通信ネットワーク２に伝送する。
【００２１】
各エンコーダ１２は、具体的には、監視カメラ１１のアナログ映像情報を標本化及び量子化により符号化した後、所定の映像フォーマットであるＭＰＥＧ２のＰＳ（Ｐプログラム  ストリーム）に変換し、通信ネットワーク２に伝送する。
【００２２】
従って、エンコーダ機能を備えたデジタル式の監視カメラ１１であれば、必ずしも前述したエンコーダ１２を必要としない。しかし、デジタル式の監視カメラ１１としては、地上波デジタル放送との互換性を持たせる必要が有るので、必要に応じてＭＰＥＧ２のＰＳ（プログラム  ストリーム）に変換する機能を持つ必要がある。
【００２３】
各ＭＰＥＧ２ＴＳ変換装置３は、チャンネル毎に設けられ、監視映像撮影装置１から通信ネットワーク２を介して伝送されてくるＰＳの映像ストリームを地上波デジタル対応の映像フォーマットであるＭＰＥＧ２ＴＳ（Ｔｒａｎｓｐｏｒｔ  Ｓｔｒｅａｍ:トランスポート）に変換し、多重化装置３に送出する。
【００２４】
なお、各ＭＰＥＧ２ＴＳ変換装置３，…がＭＰＥＧ２ＴＳに変換する理由は、地上波デジタル対応のユーザ端末7がＭＰＥＧ２ＴＳと呼ばれる映像フォーマットに対応しており、かつ、一般の監視カメラシステムでは、地上波デジタル対応の映像フォーマットとは異なる映像フォーマット,例えばＭＰＥＧ２のＰＳで伝送するものが多い為である。よって、各ＭＰＥＧ２ＴＳ変換装置３，…は、監視カメラシステム側が既に地上波デジタル対応の映像フォーマットとなっている場合、その映像フォーマットの変換が必要ない場合もある。
【００２５】
コンテンツ情報配信用サーバ４は、予め例えばカメラ情報(カメラ映像の名称,カメラ設置場所等)を含むＢＭＬコンテンツ情報を生成し、前記ＭＰＥＧ２ＴＳ変換装置３と対応を取りつつ、多重化装置５に送出するものであって、具体的には後記する。なお、ＢＭＬコンテンツ情報とは、地上波デジタルのユーザ端末７に対応しているデータ放送のデータフォーマットである。
【００２６】
多重化装置５は、ＭＰＥＧ２ＴＳ変換装置３，…で変換されたＭＰＥＧ２ＴＳの映像ストリームとコンテンツ情報配信用サーバ４から送られてくるＢＭＬコンテンツ情報とを例えば周波数分割的あるいは時分割的に多重合成し、１つのチャンネルを利用して、放送周波数変換装置６に送出する。
【００２７】
放送周波数変換装置６は、多重化装置５で多重化された映像ストリームを、テレビの受信アンテナとして機能する同軸ケーブルの周波数帯域に合った放送周波数に変換してユーザ端末７に配信する。これにより、複数のユーザ端末７，…が特定チャンネルの多重化されたストリームである映像とＢＭＬコンテンツ情報とを同時に受信し、各ユーザ端末７，…の表示部に表示することができる。つまり、各ユーザ端末７，…の表示部に表示される監視映像上にユーザが適宜に選択可能なコンテンツ情報からなるリストメッセージなどが表示される。
【００２８】
前記コンテンツ情報配信用サーバ４は図２に示すように構成されている。すなわち、コンテンツ情報配信用サーバ４は、データ放送コンテンツ生成部２１、システム管理部２２、コンテンツ送信部２３、通信部２４、操作情報受信部２５及び映像変換装置制御部２６が設けられている。
【００２９】
データ放送コンテンツ生成部２１は、前述したように、予め各監視カメラ１１のカメラ情報(例えばカメラ映像の名称,カメラ設置場所等)を含むＢＭＬコンテンツを生成し記憶されている。ここで、ＢＭＬは、ＸＭＬ（ｅXｔｅｎｓｉｂｌｅ  Ｍａｒｋｕｐ  Ｌａｎｇｕａｇｅ）ベースのマークアップ言語を用いて、デジタル放送のコンテンツの記述の他、画面上に対するコンテンツのレイアウト、複数のコンテンツの関連付け等を規定できる。ＢＭＬコンテンツには、簡易な制御プログラムを含めることができる。これにより、コンテンツ情報配信用サーバ４から簡易な制御プログラムを各ユーザ端末７，…に対してアップロードできる。このことは、ユーザ端末７は、ユーザが当該ユーザ端末７に向かってリモコン８を操作したとき、制御プログラムが実行され、プログラム命令のもとにリモコン操作結果であるプログラムに規定される各種の操作情報を通信ネットワーク２に伝送できる。
【００３０】
そして、コンテンツ情報配信用サーバ４は、ユーザ端末７から伝送されてくる操作情報を通信部２４を経由して操作情報受信部２５で受信し、操作情報を解釈し、システム管理部２２に受け渡す。
【００３１】
システム管理部２２は、記憶装置２２ａを備えている。記憶装置２２ａには、少なくとも監視側アドレスリスト管理テーブル２２ａａ及びユーザ管理制御記憶部２２ａｂその他の記憶部２２ａｃが設けられている。
【００３２】
監視側アドレスリスト管理テーブル２２ａａ、各監視カメラ１１−各エンコーダ１２のＩＰアドレスリストの他、チュンネル−ＴＳ変換装置３のチャンネル対応リストが記憶されている。
【００３３】
ユーザ管理制御記憶部２２ａｂには、現状のチャンネルと配信中のカメラ映像との関係や各ユーザ端末７，…における現在受信中チャンネル、ユーザ受信優先順位データが記憶される。その他の記憶部２２ａｃには処理途中の各種データが記憶される。
【００３４】
映像変換装置制御部２６は、システム管理部２２の指示のもとに、例えばチャンネル切替え指令に関するコマンドを通信ネットワーク２を経由してＭＰＥＧ２ＴＳ変換装置３，…に伝送し、所望のチャンネル切替えを促したり、各ＭＰＥＧ２ＴＳ変換装置３，…による何れの監視カメラ１１の映像を配信しているかの情報を取り込んでシステム管理部２２に受け渡す。
【００３５】
従って、システム管理部２２は、映像変換装置制御部２６を介して取り込んだ各ＭＰＥＧ２ＴＳ変換装置３，…の配信映像のもとにデータ放送コンテンツ生成部２１のＢＭＬコンテンツ情報を取り出し、コンテンツ送信部２３から出力し、また操作情報受信部２５で受信された操作情報に従って所望の処理を実行する機能を有する。
【００３６】
次に、以上のような監視映像配信システムの動作について説明する。
【００３７】
（１）  ＢＭＬコンテンツの配信について。
【００３８】
監視カメラ１１で撮影された監視対象の映像は対応するエンコーダ１２に送られ、ここで監視カメラ１１の映像情報がアナログ映像であれば、標本化及び量子化により符号化した後、所定の映像フォーマットであるＭＰＥＧ２のＰＳに変換し、通信ネットワーク２を介して各ＭＰＥＧ２ＴＳ変換装置３に伝送する。
【００３９】
このとき、各ＭＰＥＧ２ＴＳ変換装置３は、コンテンツ情報配信用サーバ４のシステム管理部２２の制御下にある映像変換装置制御部２６のチャンネル切替えコマンドに基づき、ある特定の監視カメラ１１の映像を取り込み、地上波デジタル放送対応の映像ストリームに変換し、多重化装置５に送出する。
【００４０】
一方、コンテンツ情報配信用サーバ４のシステム管理部２２は、映像変換装置制御部２６から各ＭＰＥＧ２ＴＳ変換装置３の現状を把握し、ユーザ管理制御記憶部２２ａｂに記憶しているので、データ放送コンテンツ生成部２１から該当監視カメラ１１のカメラ情報(例えばカメラ映像の名称,カメラ設置場所等)を含むＢＭＬコンテンツ情報を取り出し、必要に応じて簡易な制御プログラムを含めて、コンテンツ送信部２３から多重化装置５に送出する。
【００４１】
ここで、多重化装置５は、ＭＰＥＧ２ＴＳ変換装置３，…で変換されたＭＰＥＧ２ＴＳの映像とコンテンツ情報配信用サーバ４から送られてくるＢＭＬコンテンツ情報とを多重化し、１つのチャンネルを利用して、放送周波数変換装置６に送出する。放送周波数変換装置６は、多重化された映像ストリームを放送周波数に変換してユーザ端末７に配信する。これにより、各ユーザ端末７，…では、特定チャンネルの監視映像とＢＭＬコンテンツ情報とを同時に受信し、表示することができる。ＢＭＬコンテンツ情報の表示情報としては、例えば各監視カメラ１１の映像が何れのチャンネルからの映像として表示されていることを表すリストメッセージ、単なるチャンネルリストメッセージなど、いわゆる選択可能の情報のリストメッセージを表示する。
【００４２】
そして、各ユーザ端末７は、リストメッセージ等に基づき、モコン８を操作すると、ＢＭＬコンテンツ情報に含めた簡易な制御プログラムを実行し、実行結果として操作情報を通信ネットワーク２を経由してコンテンツ情報配信用サーバ４に伝送する。
【００４３】
コンテンツ情報配信用サーバ４は、各ユーザ端末７からの操作情報を通信部２４を介して操作情報受信部２５で受信し、何れの要求内容を含んだ操作情報であるか解釈し、その解釈された要求内容情報をシステム管理部２２に渡す。なお、システム管理部２２にて操作情報の要求内容を判断してもよい。
【００４４】
ここで、システム管理部２２は、現在受信中チャンネル情報を含むカメラ映像切替え操作情報であると判断すると、監視側アドレスリスト管理テーブル２２ａａから該当する監視カメラ１１及びエンコーダ１２のＩＰアドレスを取り出し、かつ、現状のチュンネル−ＴＳ変換装置３のチャンネル対応リストを参照し、ＩＰアドレスを含む現在受信中のチュンネルのカメラ映像切替え指令を映像変換装置制御部２６に送出する。
【００４５】
映像変換装置制御部２６は、ＩＰアドレスを含むカメラ映像切替え指令を受けると、通信ネットワーク２を介して該当するチャンネルのＭＰＥＧ２ＴＳ変換装置３に対し、ＩＰアドレスを含むカメラ映像切替えコマンドを送信する。
【００４６】
ここで、該当するチャンネルのＭＰＥＧ２ＴＳ変換装置３は、ＩＰアドレスの監視カメラ１１側に切替えて映像を取り込み、多重化装置５に送出する。
【００４７】
従って、以上のような実施の形態によれば、監視映像にコンテンツ情報配信用サーバ４が監視カメラ１１のカメラ情報及び制御プログラムを含めたコンテンツ情報を多重化し、各ユーザ端末７，…に配信して表示するので、ユーザは何れの設置場所の監視カメラ１１の監視情報であるかを把握できるだけでなく、制御プログラムの実行により、操作情報をコンテンツ情報配信用サーバ４に伝送するので、当該コンテンツ情報配信用サーバ４がユーザの要求を把握でき、その要求に応じた処理を実行し、ユーザに利便性を与えることができる。よって、従来の監視映像の共聴システムをさらに高機能化することができる。
【００４８】
（その他の実施の形態）
（１）  上記実施の形態では、ユーザがカメラ映像切替えの操作を行ったとき、ユーザ端末７が制御プログラムの実行により、カメラ映像切替えの操作情報をコンテンツ情報配信用サーバ４に伝送し、システム管理部２２はユーザ要求のカメラ映像切替え処理を行うようにしたが、システム管理部２２では、ユーザ管理制御記憶部２２ａｂにユーザ受信優先順位データとか、或いは各ユーザ端末７の操作情報から一番受信しているチャンネルないし監視映像を記憶している。従って、システム管理部２２は、複数のユーザ端末７，…間における受信中のチャンネル状況を把握し、ユーザ受信優先順位データまたは一番受信しているチャンネルないし監視映像を見ているユーザ端末７に対し、コンテンツ情報に該当監視カメラ１１の監視映像を切替えるための操作権限を与える情報を含めて配信するようにしてもよい。これにより、特定のユーザに対し、一番受信しているチャンネルないし監視映像を優先的に視聴させることも可能である。
【００４９】
（２）  また、システム管理部２２としては、複数のユーザ端末７，…から送られてくる操作情報から受信中チャンネル情報を取得できるので、同時に現在何れのチャンネルが空き状態になっていることを判断できる。よって、システム管理部２２は、各ユーザ端末７，…が現在利用していない空きチャンネル情報をコンテンツ情報に含めて各ユーザ端末７，…に提供し、所望とするカメラ映像を自由に空きチャンネル情報に切替えて視聴可能とするメッセージを表示させることもできる。
【００５０】
その他、本発明は、上記実施の形態に限定されるものでなく、その要旨を逸脱しない範囲で種々変形して実施できる。
【図面の簡単な説明】
【００５１】
【図１】本発明に係る監視映像配信システムの一実施の形態を示す構成図。
【図２】図１に示すコンテンツ情報配信用サーバの一具体例を示す構成図。
【符号の説明】
【００５２】
１ａ，１ｂ，…  …監視映像撮影装置、２…通信ネットワーク、３…ＭＰＥＧ２ＴＳ変換装置、４…コンテンツ情報配信用サーバ、５…多重化装置、６…放送周波数変換装置、７…ユーザ端末（テレビ受像機）、８…遠隔操作器（リモコン）、１１ａ，１１ｂ，…  …監視カメラ、１２ａ，１２ｂ，…  …エンコーダ、２１…データ放送コンテンツ生成部、２２…システム管理部、２３…コンテンツ送信部、２４…通信部、２５…操作情報受信部、２６…映像変換装置制御部。
【図１】
2008227940.tif 000003
【図２】
2008227940.tif 000004